(57)【要約】【課題】空気調和機の室外機の外形寸法をできるだけ小さくして、輸送時及び保管時におけるコストダウンを図る。【解決手段】本体ケース２の側板５ａ、５ｂ内側に設けられユニット間配管を接続するバルブ２４〜２７と、前記側板５ａ、５ｂに形成されユニット間配管を通す開口部３５と、この開口部３５を覆い着脱自在に取り付けられるバルブカバー４１とを備え、このバルブカバー４１は外方に膨らむカバー部４４を有する空気調和機の室外機１において、前記バルブ２４〜２７にユニット間配管を接続しない場合、バルブカバー４１はカバー部４４を内方に凹になるように裏向きに取り付ける。【選択図】      図６
2004293955.tif 000002
【特許請求の範囲】
【請求項１】
本体ケースの側板内側に設けられユニット間配管を接続するバルブと、前記側板に形成されユニット間配管を通す開口部と、この開口部を覆い着脱自在に取り付けられるバルブカバーとを備え、このバルブカバーは外方に膨らむカバー部を有する空気調和機の室外機において、
前記バルブにユニット間配管を接続しない場合、バルブカバーはカバー部を内方に凹になるように裏向きに取り付けることを特徴とする空気調和機の室外機。
【請求項２】
前記側板内側にはバルブカバーのカバー部を収容する空きスペースを設けたことを特徴とする請求項１に記載の空気調和機の室外機。
【発明の詳細な説明】
【０００１】
【発明の属する技術分野】
本発明は、分離型空気調和機の室外機に関するものである。
【０００２】
【従来の技術】
一般に、分離型空気調和機は、室内機と室外機とが冷媒管（ユニット間配管）によりつながれるため、室外機の一側面の凹所にユニット間配管を接続するためのバルブが設けられると共に、前記凹所を覆うバルブカバーが前記側面に取り付けられる（例えば、特許文献１参照）。
【０００３】
【特許文献１】
特許公報第３２０７６２９号
【０００４】
【発明が解決しようとする課題】
しかしながら、前述した空気調和機の室外機において、バルブカバーを側面に取り付けた場合、バルブカバーが外方に突出するため、その分室外機の外形寸法が大きくなる。そのため、輸送時や倉庫保管時等、多数の室外機を集積する場合には、その全体の容積は大幅に大きくなり、輸送及び保管にかかるコストがアップすることになった。
【０００５】
本発明は、上述のような従来の事情に鑑みてなされたものであり、空気調和機の室外機の外形寸法をできるだけ小さくして、輸送時及び保管時におけるコストダウンを図ることを目的とするものである。
【０００６】
【課題を解決するための手段】
上記目的を達成するために、請求項１に記載の発明は、本体ケースの側板内側に設けられユニット間配管を接続するバルブと、前記側板に形成されユニット間配管を通す開口と、この開口を覆い着脱自在に取り付けられるバルブカバーとを備え、このバルブカバーは外方に膨らむカバー部を有する空気調和機の室外機において、前記バルブにユニット間配管を接続しない場合、バルブカバーはカバー部を内方に凹になるように裏向きに取り付けることを特徴とする。
【０００７】
請求項２に記載の発明は、請求項１に記載の空気調和機の室外機において、  前記側板内側にはバルブカバーのカバー部を収容する空きスペースを設けたことを特徴とする。
【０００８】
【発明の実施の形態】
以下、本発明の一実施形態を図面に基づいて説明する。図１は本発明の一実施形態における空気調和機の室外機の一部を切り欠いて示した正面図、図２は図１の平面図、図３は一部を切り欠いて示した図１の側面図である。
【０００９】
図１、図２において、分離型空気調和機は、室内機（図示せず）と室外機１から構成されており、冷媒管（図示せず）により接続された冷媒回路に冷媒を流し冷房運転及び暖房運転を実施するようになっている。室外機１は屋外に設置され、外気と熱交換することにより冷房運転時には冷媒を凝縮させて熱を外気へ放出し、暖房運転時には冷媒を蒸発させて外気から熱を取り込んでいる。
【００１０】
室外機１は箱形の本体ケース２を有し、この本体ケース２は、金属製の前パネル３、底板４、前側板５ａ、後側板５ｂ及び天板６などで構成される。前側板５ａは室外機１の前面右部から側面前側にかけ略Ｌ字状に形成され、後側板５ｂは室外機１の側面後側から後面右部にかけ略Ｌ字状に形成されている。
【００１１】
この本体ケース２内には、図２に示すように、仕切板７により熱交換器室８と機械室９とに区画され、熱交換器室８は本体ケース２の左側に位置する。熱交換器室８には上からみて略Ｌ字型の熱交換器１２が配置されており、熱交換器１２に外気を送風するプロペラファン１３及びファンモータ１４が収容される。熱交換器室８の前面には前記前パネル３が設けられ、この前パネル３には樹脂製のファンガード１５を有し熱交換された空気を吹き出す吹出口１６が形成されている。
【００１２】
前記機械室９は本体ケース２の右側に位置し、冷媒回路を構成するコンプレッサ１７、アキュームレータ１８及び四方弁１９等が設けられ、さらに、機械室９の上部には、種々の電装部品が収納された電装箱２１が設けられている。機械室９は、前記仕切板７、底板４、前側板５ａ、後側板５ｂ及び天板６で囲まれて雨水が入らないようになっている。
【００１３】
前記機械室９の右前部には、底板４に立設する支持板２２が固定されている。この支持板２２は、その基部が取付ねじ（図示せず）により底板４に堅固に取り付けられ、４組のサービスバルブ２４、２５、２６、２７（図３参照）が支持されている。これらサービスバルブ２４、２５、２６、２７には、４台の室内機（図示せず）への接続を可能にし、それぞれの室内機との間で冷媒を循環して流すユニット間配管３１、３２、３３、３４が接続される。これらサービスバルブ２４、２５、２６、２７の配管接続部は、斜め後外方を向き、ユニット間配管３１、３２、３３、３４を接続した場合、これらユニット間配管３１、３２、３３、３４が室外機１の右側面に設けられた開口部（配管取出口）３５から引き出せるようになっている。
【００１４】
前記配管取出口３５は、室外機１の右側面の前側板５ａと後側板５ｂの連結部の下部に設けられ、この配管取出口３５の内側は部品等が配置されない空きスペース３６になっている。配管取出口３５の周縁には、図３に示すように、複数のねじ孔ａ〜ｈが設けられている。これらねじ孔ａ〜ｈは、四隅４ヵ所ａ、ｂ、ｄ、ｅと左縁中央に１ヵ所ｃずつ、右縁に３ヵ所ｆ、ｇ、ｈの計８ヵ所に設けられており、右縁の３ヵ所のねじ孔ｆ、ｇ、ｈには縁を補強するための縦板３７が取り付けられ、残り５ヵ所のねじ孔ａ〜ｅには配管取出口３５を覆うバルブカバー４１が取り付けられる。
【００１５】
図４はバルブカバーの正面図、図５はバルブカバーの平面図である。
【００１６】
図４、図５において、前記バルブカバー４１は合成樹脂で成型され、上下及び左縁に形成される枠部４３と中央部にあるカバー部４４とで構成されている。枠部４３は幅の細いコ字形の平面部で、前記室外機１の側面のねじ孔ａ〜ｅに対応した位置に５ヵ所のねじ孔ｓ、ｔ、ｕ、ｖ、ｗが設けられている。カバー部４４は、上下左辺が前記枠部４３につながり、左端から右端にかけて手前方向に傾斜し突出している。そしてバルブカバー４１を側板５ａ、５ｂに取り付けた場合、バルブカバー４１の右辺と側板５ａ、５ｂとの間に開口が形成され、ユニット間配管の取出口となる。
【００１７】
ここで、前記サービスバルブ２４、２５、２６、２７にユニット間配管３１、３２、３３、３４が接続されない場合には、前記バルブカバー４１は、室外機１側面のねじ孔ａ、ｂ、ｄ、ｅに対しバルブカバー４１の四隅のねじ孔ｔ、ｓ、ｗ、ｖを対応するように取り付けることにより裏向きにも取付可能である。バルブカバー４１を裏向きに取り付けたとき、図６に示すように、バルブカバー４１のカバー部４４が室外機１の空きスペース３６に収納され、カバー部４４が内側に凹になるので、室外機１の横幅は左右の側面間の寸法内に納まるようになる。
【００１８】
このように構成された室外機１において、室外機１の工場出荷時には、バルブカバー４１は裏向きに取り付けられ、室外機１の横幅が左右の側面間の寸法内に納まるので、その分梱包箱の寸法が小さく設計できる。これにより、輸送時や倉庫保管時等、多数の室外機１を集積する場合には、その全体の容積が大幅に小さくなり、輸送及び保管にかかるコストの削減を図ることができる。
【００１９】
以上、一実施形態に基づいて本発明を説明したが、本発明は、これに限定されるものではなく、要旨を逸脱しない範囲内で種々変形が可能である。
【００２０】
【発明の効果】
以上説明したように、本発明の室外機は、本体ケースにユニット間配管を通す開口部と、この開口部を覆い外方に膨らむバルブカバーとを備え、前記バルブカバーは表裏自在の取付を可能としたので、バルブにユニット間配管を接続しない場合、バルブカバーを裏向きに取り付けることにより、カバー部が室外機の内側に収納され、室外機の外形寸法が小さく抑えられる。これにより、室外機の梱包箱を小さくすることができ、輸送時及び倉庫保管時等、多数の室外機を集積したときには、全体の容積が大幅に小さくなりコストダウンを図ることができる。
【図面の簡単な説明】
【図１】本発明の一実施形態における空気調和機の室外機を示す正面図である。
【図２】図１の平面図である。
【図３】図１の側面図である。
【図４】バルブカバーの正面図である。
【図５】バルブカバーの平面図である。
【図６】バルブカバーを裏向きに取り付けた場合の室外機の平面図である。
【符号の説明】
１  室外機
２  本体ケース
３  前パネル
５ａ  前側板
５ｂ  後側板
２４、２５、２６、２７  サービスバルブ（バルブ）
３１、３２、３３、３４  ユニット間配管
３５  配管取出口（開口部）
３６  空きスペース
４１  バルブカバー
４３  枠部
４４  カバー部
ａ、ｂ、ｃ、ｄ、ｅ  室外機のねじ孔
ｔ、ｓ、ｗ、ｖ  バルブカバーのねじ孔
【図１】
2004293955.tif 000003
【図２】
2004293955.tif 000004
【図３】
2004293955.tif 000005
【図４】
2004293955.tif 000006
【図５】
2004293955.tif 000007
【図６】
2004293955.tif 000008